(57)【要約】【課題】  過去の歩数情報を選択的に消去し得る時計機能付き歩数計を提供すること。【解決手段】  時計機能付き歩数計１、時計手段３２と、使用者の歩行を検出して歩数を計数する歩数計数手段４０と、時計手段３２により所定期間の経過が計時される毎に、歩数計数手段４０の歩数データＦを当該期間の過去歩数データとして記憶する過去歩数データ格納手段３５，２４と、過去歩数データ格納手段３５，２４の過去データ格納部２４に格納された過去データＦｉを選択的に消去する消去手段７０とを有する。【選択図】図３
2006178888.tif 000002
【特許請求の範囲】
【請求項１】
時計手段と、
使用者の歩行を検出して歩数を計数する歩数計数手段と、
前記時計手段により所定期間の経過が計時される毎に、前記歩数計数手段の計数値を当該期間の歩数データとして記憶する過去歩数データ格納手段と、
前記過去歩数データ格納手段に格納された過去歩数データを選択的に消去する消去手段と
を有する時計機能付き歩数計。
【請求項２】
前記過去歩数データ格納手段に格納された複数の期間の夫々に対応する過去歩数データのうちの特定の期間を指定する指定手段を備え、
前記消去手段は、前記指定手段により指定された過去歩数データを消去するように構成されている請求項１に記載の時計機能付き歩数計。
【請求項３】
前記指定手段が、前記過去歩数データ格納手段に格納された複数の過去歩数データを特定の順序で表示する過去歩数データ表示手段を備え、
前記消去手段は、前記過去歩数データ表示手段による表示中の過去歩数データを消去するように構成されている請求項２に記載の時計機能付き歩数計。
【発明の詳細な説明】
【技術分野】
【０００１】
本発明は歩数計に係り、より詳しくは、時計機能付き歩数計に係る。
【背景技術】
【０００２】
腕時計の形態の時計機能付き歩数計すなわち時計機能を備えた歩数計は、知られている。この種の歩数計では、一日の間の歩数に応じて累計された計数値が、日付の変わるタイミングで、当該日の歩数データとして、過去データ記憶部に格納される。
【０００３】
一方、この種の歩数計では、データをクリアする場合、累計中の当日の歩数データは単独で選択的にクリアされるけれども、その他のデータは独立には、消去されなかった。すなわち、過去データ記憶部の歩数データを消去する場合、該歩数データのみでなく、時計による時刻データを含めた他のデータも全て同時にクリアされるようになっていた（例えば、非特許文献１参照）。
【０００４】
時計機能付き歩数計が出荷されて店頭に並べられる際に電池が動作状態で装着されていると、出荷の際の振動を歩行とみなして歩数計が歩数を計数するので、歩数値が過去データとして蓄積されてしまうことになり、時計機能付き歩数計の購入後、過去の歩数データを消去する必要がある。ところが、上述のように、この種の歩数計では、過去の歩数データを消去しようとすると、時計データすなわち時刻データまで、クリアされるので、再度時刻合わせすることが必要になる。
【０００５】
従って、この種の歩数計では、出荷時に時計の時刻を合わせておく価値がなく電池を給電状態に装填しておくこと自体が無駄になるので、出荷時には、電池を未装填とする一方で表示部の上に表示状態を例示したダミーのシールを貼っている。それ故、商品選択時には、ユーザが動作や操作性を確認することが出来なかった。その結果、ユーザの予期した商品イメージと異なることが商品購入後に判明する事態が生じるのを避け難かった。
【非特許文献１】オムロン株式会社  オムロンヘルスカウンタ  ステップ  ＨＪ−１０６  取扱説明書
【発明の開示】
【発明が解決しようとする課題】
【０００６】
本発明は、前記した点に鑑みなされたものであって、その目的とするところは、過去の歩数情報を選択的に消去し得る時計機能付き歩数計を提供することにある。
【課題を解決するための手段】
【０００７】
本発明の時計機能付き歩数計は、前記目的を達成すべく、時計手段と、使用者の歩行を検出して歩数を計数する歩数計数手段と、時計手段により所定期間の経過が計時される毎に、歩数計数手段の計数値を当該期間の過去歩数データとして記憶する過去歩数データ格納手段と、過去歩数データ格納手段に格納された過去歩数データを選択的に消去する消去手段とを有する。
【０００８】
本発明の時計機能付き歩数計では、「時計手段と、使用者の歩行を検出して歩数を計数する歩数計数手段と、時計手段により所定期間の経過が計時される毎に、歩数計数手段の計数値を当該期間の過去歩数データとして記憶する過去歩数データ格納手段と」が設けられているので、所定期間の経過毎に、歩数データが過去歩数データ格納手段に過去の歩数データとして記憶され得る。この所定期間は、典型的には、日であり、時計手段の日付が変わる毎に、各日の歩数データが過去歩数データとして過去歩数データ格納手段に記憶される。
【０００９】
また、本発明の時計機能付き歩数計では、特に、「歩数データ格納手段に格納された歩数データを選択的に消去する消去手段」が設けられているので、時刻データや現在（例えば当日）の歩数データに影響を与えることなく、過去の特定の所定期間のデータが消去され得る。従って、例えば、年や月が変わった場合や、ユーザの体調や環境等が変わった場合に、新たな気持ちで、データの蓄積を行うことが可能になる。更に、本発明の時計機能付き歩数計では、特に、時刻データや現在（例えば当日）の歩数データに影響を与えることなく、過去の特定の所定期間のデータが消去され得るので、製品の出荷時から電池を装填しておくと共に歩数計を動作可能にしておいても、店頭での展示・陳列に際して出荷・搬送に際して蓄積された擬似歩数データのみが所望に応じて消去され得るから、ユーザが商品の購入の際に動作や操作性を実際に確認し得る。また、製品の出荷時から無駄なく電池を装填しておくことが可能になるので、製品の出荷時に時計の時刻表示を合わせておくことができるから、ユーザが製品を使用し始めるに際して、ユーザに求められる操作が最低限（擬似歩数データの消去等）に抑えられ得る。
【００１０】
本発明の時計機能付き歩数計は、典型的には、歩数データ格納手段に格納された複数の期間の夫々に対応する歩数データのうちの特定の期間を指定する指定手段を備え、消去手段は、指定手段により指定された歩数データを消去するように構成されている。
【００１１】
この場合、典型的には、指定手段が、歩数データ格納手段に格納された複数の歩数データを特定の順序で表示する過去データ表示手段を備え、消去手段は、過去データ表示手段による表示中の歩数データを消去するように構成されている。
【００１２】
但し、所望ならば、指定手段が、特定の順序で過去歩数データ格納手段に格納された複数の過去歩数データの格納場所のうちの任意の格納場所を指定する格納場所指定手段を備え、消去手段は、格納場所指定手段によって指定された格納場所に格納された過去歩数データを消去するように構成されていてもよい。
【００１３】
本発明の時計機能付き歩数計は、典型的には、腕時計と同様な形態を有し、ユーザの腕にはめられた状態で使用される。但し、場合によっては、取外し可能に腰のベルトやズボンの上端などに装着されるようになっていてもよい。
【発明を実施するための最良の形態】
【００１４】
次に、本発明の好ましい一実施の形態を添付図面に示した好ましい一実施例に基づいて説明する。
【実施例】
【００１５】
図１は、本発明による好ましい第一実施例の時計機能付き歩数計１のハードウエア構成を示したブロック図である。この図１において、時計機能付き歩数計１は、中央処理装置（ＣＰＵ）１１、所定周波数の信号を発する発振回路１２、該発振回路１２の出力信号を所定分周比で分周して計時用基準信号Ａを発する分周回路１３、該部から操作可能なスイッチ群からなるキー入力手段１４、使用者の歩行（走行を含む）を検出して該歩行に対応する歩行信号Ｂを発する加速度センサからなる歩行センサないし歩行検出センサ１５、該歩行センサ１５からの信号を増幅する増幅回路１６、歩数等を表示する液晶ディスプレイ部の如き表示部１７、測定した歩数データや設定値などを記憶する消去可能なランダムアクセスメモリ（ＲＡＭ）１８、ＣＰＵが実行するプログラムを予め記憶した読出し専用メモリ（ＲＯＭ）１９、歩数計１の各ハードウエア部分１１〜１９に電力を供給する電源としての電池２０を備える。
【００１６】
なお、この時計機能付き歩数計１は、例えば、図５に示したように、表示部１７が中央の開口に位置するケース４及びバンド５を備えた腕時計Ｗの形態を有する腕時計タイプの歩数計からなる。
【００１７】
時計機能付き歩数計１の時計機能部２及び歩数計機能部３（図３）の主たる部分は、夫々、ＣＰＵ１１とＲＯＭ１９に格納され該ＣＰＵ１１で実行される対応のプログラムからなり、それらについては、後述する。
【００１８】
ＲＡＭ１８は、図２に示したように、時計計数データ格納エリア２１、ワーク・スタックエリア２２、当日歩数データ格納エリア２３及び過去歩数データ格納エリア２４を含む。この例では、過去データＦｉ（ｉはｉ日前であることを示す）を当日データＦ０とは個別独立的に処理し易くするように、過去歩数データ格納エリア２４と当日データ格納領域２３とが分かれている。但し、過去データＦｉを当日データＦ０とは個別独立的に制御・処理し得る限り（例えば、別々に処理し得るように過去及び当日のデータの格納位置情報を制御ないし管理する等）、データ格納領域自体は共通していてもよい。
【００１９】
図３は、図１に示したハードウエア構成からなる時計機能付き歩数計１の機能ブロック図である。
【００２０】
機能ブロック図ないし機能関連図としてみた場合、時計機能付き歩数計１は、クロック信号発生部３１で発生されたクロック信号ないし計時用基準信号Ａを計数乃至計時する計時部３２を有する。クロック信号発生部３１は、図１の発振回路１２及び分周回路１３からなる。計時部３２は、ＣＰＵ１１とＲＯＭ１９に格納されＣＰＵ１１で実行される計時プログラム及びＲＡＭ１８の時計計数データ（計時データ）格納エリア２１に格納された計時データＣとからなり、時分秒計数部３３と年月日計数部３４等とを含む。その他に、曜日計数部を含んでいてもよく、年月計数部３４はなくてもよい。時分秒計数部３３は、２４時間毎に日替わり信号Ｄを発する。日替わり信号Ｄに応じて、年月日計数部３４の計数値が一つ増す。
【００２１】
時計機能付き歩数計１は、また、歩数計数手段としての歩数計数部４０を備える。この歩数計数部４０は、歩行センサ１５に加えて歩数検出（計数）部４１を含む。歩数検出（計数）部４１は、歩行センサ１５からの歩行信号Ｂを検出・計数して、歩数を計数し、歩数データＦを、歩数データ記憶部４３の当日歩数データ格納部２３に格納する。歩数検出（計数）部４１は、図１の増幅回路１６と、ＣＰＵ１１と、ＲＯＭ１９に格納されＣＰＵ１１で実行される歩数計数プログラムとからなる。
【００２２】
この例では、過去歩数データ格納エリア２４は、１日前〜７日前の７日間の過去データを格納する領域２４−１〜２４−７（総称するとき又は相互に区別しないときには、符号、２４又は２４−ｎで表す）を含むとする。なお、領域２４−ｎのうちいずれの領域が１日前のデータ格納領域であるかは、次に説明する期間歩数データ格納制御部３５の過去データ格納領域選択カウンタ３６の計数値Ｇによって決定される。過去データの保持日数は、７日よりも短くても長くてもよく、日単位だけでなく、週単位や月単位等でデータを集計・保持し得るようになっていてもよい。
【００２３】
日替わり信号Ｄは、年月日計数部３４に加えて、期間歩数データ格納制御部３５に与えられる。期間歩数データ格納制御部３５は、日替わり信号Ｄを受取るごとに、該日替わり信号Ｄを計数して一つだけ計数値Ｇが増加し計数値Ｇが最大値７のとき信号日替わりＤを受取ると１にリセットされる過去データ格納領域選択カウンタ３６を含む。ここでカウンタ３６を含む期間歩数データ格納制御部３５は、ＣＰＵ１１と、ＲＯＭ１９に格納されＣＰＵ１１で実行されるプログラムと、プログラムの実行に応じたワーク、スタックエリア２２等を提供するＲＡＭ１８とからなる。
【００２４】
すなわち、期間歩数データ格納制御部３５が日替わり信号Ｄを受信する毎に、過去データ格納領域選択カウンタ３６の計数値Ｇが１だけ増し、期間歩数データ格納制御部３５は、ＲＡＭ１８のうち歩数データ記憶部４３の当日歩数データ格納部２３に格納された当日データＦ０を読み出して、カウンタ３６の計数値Ｇの値１，２，３，４，５，６，０に応じて、過去歩数データ格納部２４のうち２４−１，２４−２，２４−３，２４−４，２４−４，２４−５，２４−６，２４−７を選択して当該選択領域に最新の歩数データを１日前の歩数データとして格納する。なお、期間歩数データ格納制御部３５は、当日歩数データ格納部２３の当日データＦ０を読み出した後、歩数検出（計数）部４１の内容（及び当日歩数データ格納部２３の内容）Ｆ０を０にリセットする。ここで、過去歩数データ格納手段は、期間歩数データ格納制御部３５と過去歩数データ格納部２４とからなる。
【００２５】
従って、例えば、カウンタ３６の計数値Ｇが１のときには、１日前の歩数データＦ１は領域２４−１に格納され、領域２４−２，２４−３，２４−４，２４−５，２４−６，２４−７には夫々２，３，４，５，６，７日前の歩数データＦ２，Ｆ３，Ｆ４，Ｆ５，Ｆ６，Ｆ７が格納された状態になる。一般的に、カウンタ３６の計数値Ｇがｍ（ｍは１〜７の整数）のときには、１日前の歩数データＦ１は領域２４−ｍに格納され、領域２４−［ｍ＋１］，２４−［ｍ＋２］，２４−［ｍ＋３］，２４−［ｍ＋４］，２４−［ｍ＋５］，２４−［ｍ＋６］に夫々２，３，４，５，６，７日前の歩数データＦ２，Ｆ３，Ｆ４，Ｆ５，Ｆ６，Ｆ７が格納される。
【００２６】
期間歩数データ格納制御部３５及びそのカウンタ３６は、ＣＰＵ１１とＲＯＭ１９に格納されＣＰＵ１１で実行されるプログラムからなる。当然ながら、実行に際しては、ＲＡＭ１８のワーク，スタックエリア２２等が用いられる。
【００２７】
なお、期間歩数データ格納制御部３５は、カウンタ３６により、最新データの格納位置を制御する代わりに、例えば、特定の格納領域には特定の日数だけ前の歩数データが格納された状態にすべく、日替わり信号Ｄを受取るごとに、過去歩数データ格納部２４内の過去データＦ７，Ｆ６，Ｆ５，Ｆ４，Ｆ３，Ｆ２，Ｆ１を夫々一日前の格納領域に移動させるようにしても、他のどのような制御手順をとってもよい。
【００２８】
当日の歩数データ（当日データ）Ｆ０及び過去の歩数データ（過去データ）を格納するための制御の仕方に関する以上において説明した構成ないし機能関連は、単なる一例であって、当日の歩数データ（当日データ）Ｆ０及び過去の歩数データ（過去データ）を選択的に抽出可能に格納し得る限り、他のどのような構成ないし機能関連であってもよい。
【００２９】
以上のような時計機能付き歩数計１は、好ましくは、電池２０の寿命を最大限にすべく、電池２０の電力消費を最低限に抑える手段を含む。このような手段としては、所望ならば、例えば、特願２００４−７７６１４に開示のように、ユーザの歩行停止状態の長さ等に応じて、歩行計測センサ１５及び増幅回路１６からなる歩行検出手段の動作の停止期間等を制御して間欠動作させるスリープ機能が含まれ得る。
【００３０】
次に、主として表示に関して説明する。
【００３１】
当日データ表示
時計機能付き歩数計１は、表示部１７で時刻情報を表示する時計モード（時刻表示モード）Ｍ１と、当日の歩数情報を表示する当日データ表示モードＭ２と、過去の歩数データを表示する過去データ表示モードＭ３とを有し、このモードＭ１，Ｍ２，Ｍ３間でのモードＭの変更は、モード変更スイッチ１４ａを押してモード変更信号Ｈを出すことにより指定される。
【００３２】
すなわち、時計機能付き歩数計１は、モード制御部５０を有する。モード制御部５０は、モード変更スイッチ１４ａからのモード変更信号Ｈを受取るごとに、０から２の間で０→１→２→０とサイクリックに値が変化するモード状態表示カウンタ５１を備え、モード状態表示カウンタ５１の内容に応じて、モード制御部５０は、モードＭ１，Ｍ２，Ｍ３のいずれかの表示を行わせるように、表示制御部６０を制御をする。ここでカウンタ５１を含むモード制御部５０は、ＣＰＵ１１と、ＲＯＭ１９に格納されＣＰＵ１１で実行されるプログラムと、プログラムの実行に応じたワーク，スタックエリア２２等を提供するＲＡＭ１８とからなる。
【００３３】
表示制御部６０は、時刻データ表示制御部６１と歩数データ表示制御部６２とを有する。時刻データ表示制御部６１は、計時部３２から時計データ（時刻情報）Ｊを受取り、モード制御部５０から指定されたモードＭを表すモード信号Ｋ（以下では、モードＭ１，Ｍ２，Ｍ３に応じてＫ１，Ｋ２，Ｋ３であるとする）に応じた形で表示データ格納部６５に表示用時刻データＪａを与える。ここで、時刻データ表示制御部６１は、ＣＰＵ１１と、ＲＯＭ１９に格納されＣＰＵ１１で実行されるプログラムと、プログラムの実行に応じたワーク，スタックエリア２２等を提供するＲＡＭ１８とからなる。
【００３４】
一方、歩数データ表示制御部６２は、歩数データ記憶部４３から歩数データＦを受取り、モード制御部５０から指定されたモードＭ２又はＭ３を表すモード信号Ｋ２又はＫ３に応じた形で表示データ格納部６５に歩数データＦを与える。歩数データ表示制御部６２は、更に、モード信号Ｋ３を受取った際に動作する遡及日数パラメータ保持カウンタ６３を備える。このカウンタ６３は、０から６の間の値Ｒを保持し、モード信号Ｋ３を受取ると、０にリセットされ、キースイッチ１４のうち上側のデータ変更スイッチ１４ｂからのデータ変更信号Ｑ１を受取るごとに、１だけ値が増し、下側のデータ変更スイッチ１４ｃからのデータ変更信号Ｑ２を受取るごとに、１だけ値が減少する。値０，１，２，３，４，５，６は、夫々、１日前、２日前、３日前、４日前、５日前、６日前、７日前の過去データＦ１，Ｆ２，Ｆ３，Ｆ４，Ｆ５，Ｆ６，Ｆ７を表示すべきことを表す。ここでカウンタ６３を含む歩数データ表示制御部６２は、ＣＰＵ１１と、ＲＯＭ１９に格納されＣＰＵ１１で実行されるプログラムと、プログラムの実行に応じたワークエリア２２等を提供するＲＡＭ１８とからなる。
【００３５】
例えば、時刻表示モードＭ１にある旨のモード信号Ｋ１がモード制御部５０から出されると、時刻データ表示制御部６１は、図７の左上部に時計表示Ｐ１で示したように、計時部３２からの時分秒データと日時データとを表示データ格納部６５に送り、表示部１７で図７の左上部に示したように時計としての時計表示Ｐ１を行わせる。時刻表示モードＭ１では、ロック（Ｌｏｃｋ）／ロック解除（Ｕｎｌｏｃｋ）スイッチ１４ｄを押すことにより、ロック状態が解除されて、時刻表示の修正が可能になる（それ自体は周知であるので、具体的な構成・制御についての説明は省略する）。また、時刻表示モードＭ１において、下段に月日を表示する代わりに、当日の歩数データ（当日データ）を表示するようにしてもよい。当日データの与え方は、次に説明する当日データ表示モードＭ２に記載の通りである。
【００３６】
一方、当日データ表示モードＭ２にある旨のモード信号Ｋ２がモード制御部５０から出されると、歩数データ表示制御部６２が、図７の右上部に当日データ表示Ｐ２で示したように、歩数データ記憶部４３のうちの当日歩数データ格納部２３からの当日歩数データを表示データ格納部６５に送り、時刻データ表示制御部６１が、計時部３２からの時分秒データと日時データを表示データ格納部６５に送ることにより、表示部１７で図７の右上部に示したように歩数計としての当日歩数データを中央部における大きな表示及び時計としての時刻データを下段における小さな表示からなる当日データ表示Ｐ２を行わせる。時刻表示の部分は、時分などの数値の代わりに、カレンダ表示など他のものでもよく、その場合、計時部３２で月日データや曜日データ等を生成して時刻データ表示制御部６１に与え得るようにしておく。
【００３７】
また、過去データ表示モードＭ３にある旨のモード信号Ｋ３がモード制御部５０から出されると、歩数データ表示制御部６２のカウンタ６３が０にリセットされる。従って、歩数データ表示制御部６２は、期間歩数データ格納制御部３５のカウンタ３６の計数値Ｇを参照して該計数値Ｇによって特定される一日前の過去データ格納領域２４−ｎから一日前の過去データＦ１を取出し、一日前のデータである旨の情報と共に表示データ格納部６５に送って、表示部１７で過去データ表示Ｐ３として表示させる。過去データ表示Ｐ３では、下段に小さな文字で何日前のデータであるかが表示され、真中（上段中央部）に、その日の歩数が表示される。
【００３８】
データ変更スイッチ１４ｂが所定回数Ｔだけ押圧されると、歩数データ表示制御部６２のカウンタ６３のパラメータの値ＲがＴになるので、歩数データ表示制御部６２は（Ｔ＋１）日前の過去データを、カウンタ３６の指示値Ｇに応じて、過去歩数データ格納部２４から取出して、（Ｔ＋１）日前のデータである旨の情報と共に、表示データ格納部６５に与え、表示部１７で表示させる。データ変更スイッチ１４ｂや１４ｃの押圧回数に応じた表示部１７による表示の変化は、図８に示した通りである。この例では、指定手段は、歩数データ表示制御部６２とデータ変更スイッチ１４ｂ，１４ｃとからなる。
【００３９】
すなわち、例えば、表示変更スイッチ１４ｂを一回押す毎に、１日づつ前の表示Ｐ３１→Ｐ３２→Ｐ３３→Ｐ３４→Ｐ３５→Ｐ３６→Ｐ３７→Ｐ３１がサイクリックに行われる。表示変更スイッチ１４ｃの押圧では、逆順に表示が変更される。但し、スイッチ１４ｂ，１４ｃの役割は、逆でもよい。
【００４０】
当日の歩数データ（当日データ）Ｆ０及び過去の歩数データ（過去データ）を表示するための制御の仕方に関する以上において説明した構成ないし機能関連は、単なる一例であって、当日の歩数データ（当日データ）Ｆ０及び過去の歩数データ（過去データ）を選択的に表示し得る限り、他のどのような構成ないし機能関連であってもよい。
【００４１】
時計機能付き歩数計１は、更に、歩数データＦの選択的消去を制御する消去手段としてのクリア制御部７０及び該クリア制御部７０にクリア動作指示を与えるクリアスイッチ１４ｄを有する。ここでクリア制御部７０は、ＣＰＵ１１と、ＲＯＭ１９に格納されＣＰＵ１１で実行されるクリアプログラム８０と、プログラムの実行に応じたワーク，スタックエリア２２等を提供するＲＡＭ１８とからなる。
【００４２】
クリア制御部７０は、クリアスイッチ１４ｄから押圧信号Ｕを受取り該信号Ｕが所定時間（この例では、「３秒」とする）継続するか否かを判別するクリア指示判別部７１を含み、クリア指示判別部７１において、３秒以上継続したと判別すると、実質的なクリア制御に入る。
【００４３】
クリア制御部７０は、このクリア制御のために、モード制御部５０からモード信号Ｋを受取って、表示部１７でのモードＭを判別する。即ち、Ｋ＝２である場合、当日歩数データ表示モードＭ２にあることが判別され、Ｋ＝３である場合、過去データ表示モードＭ３にあることが判別される。一方、Ｋ＝１である場合、歩数データを表示するモードではなくて時計モード（時刻表示モード）であることが判別される。
【００４４】
より詳しくは、Ｋ＝２の当日データ表示モードＭ２である場合、クリア制御部７０は、歩数計側部４０の歩数検出（計数）部４１の内容及び歩数データ記憶部４３のうちの当日歩数データ格納部２３の当日データＦ０をゼロすなわち０にリセットさせる。なお、更に、直接的に歩数データ記憶部４３を介して間接的に、歩数データ表示制御部６２に表示データの更新を行わせる。表示の更新がサンプリング間隔毎に行われる場合には、更新指示は不要である。
【００４５】
一方、Ｋ＝３の過去データ表示モードＭ３である場合、クリア制御部７０は、更に、歩数データ表示制御部６２からカウンタ６３の内容Ｒを受取って表示中の過去データが何日前のデータであるかの情報を得ると共に、期間歩数データ格納制御部３５のカウンタ３６から一日前のデータの格納位置情報を得ることにより、当該日数前の過去データの格納領域２４−ｎを確定し、歩数データ記憶部４３の過去歩数データ格納部２４の当該領域２４−ｎのデータを消去させる。
【００４６】
また、Ｋ＝１の時計モード（時刻表示モード）Ｍ１の場合、例えば、クリア指示を無視して、処理を終了する。
【００４７】
プログラムの処理の観点で見た場合、クリアプログラム８０は、図４にその処理のフローチャートで示したように、キースイッチ１４のうちのクリアスイッチ１４ｄが押圧されたか否かを判別（検出）し（ステップＳＣ０１）、クリアスイッチ１４ｄの押圧がない場合、クリア処理以外の他の処理を行わせる（ステップＳＣ０２）。一方、クリアスイッチ１４ｄの押圧を検出すると、該押圧が３秒以上継続しているか否かを判別する（ステップＳＣ０３）。押圧時間が３秒未満であるときは、他の処理（ステップＳＣ０２）に移り、３秒以上である場合、表示部１７で当日データＦ０を表示しているか否かを判別する（ステップＳＣ０４）。
【００４８】
当日データＦ０の表示中である場合、当日データＦ０をクリアする（ステップＳＣ０５）。一方、当日データ表示中でない場合には、過去の歩数データＦｎ（ｎ≠０）を表示中であるか否かを判別する（ステップＳＣ０６）。過去データＦｎ（ｎ≠０）の表示中である場合、過去データＦｎ（ｎ≠０）をクリアする（ステップＳＣ０７）。一方、過去データの表示中でない場合、他の処理をする（ステップＳＣ０２）。なお、以上において、ステップＳＣ０４とＳＣ０６との順序は逆でも、二つのステップＳＣ０４，ＳＣ０６が同時に行われてもよい。
【００４９】
すなわち、この時計機能付き歩数計１では、特に、歩数データ記憶部４３の過去歩数データ格納部２４に格納された過去データをクリアスイッチ１４ｄ及びクリア制御部７０（より詳しくはクリア制御プログラム８０）により選択的に消去し得るので、時刻データや現在（例えば当日）の歩数データに影響を与えることなく、過去の特定の日の歩数データや過去の特定の期間の歩数データが消去され得る。従って、例えば、年や月が変わった場合や、ユーザの体調や環境等が変わった場合に、新たな気持ちで、歩数データの蓄積を行うことが可能になる。また、この時計機能付き歩数計１では、時刻データや現在（例えば当日）の歩数データに影響を与えることなく、過去の歩数データが消去され得るので、製品の出荷時から電池２０を装填しておくと共に歩数計を動作可能にしておいても、店頭での展示・陳列に際して出荷・搬送に際して蓄積された擬似歩数データのみが所望に応じて消去され得るから、ユーザが商品の購入の際に動作や操作性を実際に確認し得る。更にまた、製品の出荷時から無駄なく電池２０を装填しておくことが可能になるので、製品の出荷時に時計の時刻表示を合わせておくことができるから、ユーザが製品を使用し始めるに際して、ユーザに求められる操作が最低限（擬似歩数データの消去等）に抑えられ得る。
【００５０】
なお、以上においては、過去データを一つづつ消去する例について説明したけれども、過去データ表示モードＭ３において、特定のスイッチの押圧操作により、全ての過去データを一括して選択し、クリアスイッチの押し下げにより過去データを一括して消去するようにしておいてもよい。
【図面の簡単な説明】
【００５１】
【図１】本発明による好ましい一実施例の時計機能付き歩数計のハードウエア構成を示した基本ブロック図。
【図２】図１の時計機能付き歩数計のＲＡＭに格納されるデータ等のマップの一例を示した説明図。
【図３】図１の時計機能付き歩数計の機能関連ブロック図。
【図４】図１の時計機能付き歩数計における歩数データのクリア処理の流れを示したフローチャート。
【図５】図１の時計機能付き歩数計が、腕時計タイプの歩数計からなり時刻表示モードにある場合の表示及び外観の平面説明図。
【図６】図５の時計機能付き歩数計が過去データ表示モードにある場合の表示及び本体部分の外観の平面説明図。
【図７】図５の時計機能付き歩数計におけるモードの変更（切換え）を示した説明図。
【図８】図５の時計機能付き歩数計が過去データ表示モードにある場合におけるデータ変更スイッチによる表示データの変更を示した説明図。
【符号の説明】
【００５２】
１  時計機能付き歩数計
２  時計機能部
３  歩数計機能部
４  ケース
５  バンド
１１  ＣＰＵ
１２  発振回路
１３  分周回路
１４  キー入力手段
１４ａ  モード変更スイッチ
１４ｂ，１４ｃ  データ変更スイッチ
１４ｄ  クリアスイッチ
１５  歩行計測センサ
１７  表示部
１８  ＲＡＭ
１９  ＲＯＭ
２０  電池
２１  時計計数データ格納エリア
２３  当日歩数データ格納エリア
２４  過去歩数データ格納エリア
３１  クロック信号発生部
３２  計時部
３３  時分秒計数部
３４  年月日計数部
３５  期間歩数データ格納制御部
３６  過去データ格納領域選択カウンタ
４０  歩数計数部
４１  歩数検出（計数）部
４３  歩数データ記憶部
５０  モード制御部
５１  モード状態表示カウンタ
６０  表示制御部
６１  時刻データ表示制御部
６２  歩数データ表示制御部
６３  遡及日数パラメータ保持カウンタ
６５  表示データ格納部
７０  クリア制御部
７１  クリア指示判別部
８０  クリア処理プログラム
Ａ  計時用基準信号
Ｂ  歩行信号
Ｃ  計時データ
Ｄ  日替わり信号
Ｆ    歩数データ
Ｆｉ  過去データ
Ｆ０  当日歩数データ（当日データ）
Ｆ１，Ｆ２，Ｆ３，Ｆ４，Ｆ５，Ｆ６，Ｆ７  過去歩数データ（過去データ）
Ｈ  モード変更信号
Ｊ  時刻データ
Ｊａ  表示用時刻データ
Ｋ，Ｋ１，Ｋ２，Ｋ３  モード信号
Ｍ  モード
Ｍ１  時計モード（時刻表示モード）
Ｍ２  当日データ表示モード
Ｍ３  過去データ表示モード
Ｐ１  時計表示（時刻表示）
Ｐ２  当日データ表示（当日歩数データ表示）
Ｐ３  過去データ表示（過去歩数データ表示）
Ｐ３１，Ｐ３２，Ｐ３３，Ｐ３４，Ｐ３５，Ｐ３６，Ｐ３７  １日前，２日前，３日前，４日前，５日前，６日前，７日前の歩数データの表示
Ｑ１，Ｑ２  データ変更信号
ＳＣ０１，ＳＣ０２，ＳＣ０３，ＳＣ０４，ＳＣ０５，ＳＣ０６，ＳＣ０７  処理ステップ
【図１】
2006178888.tif 000003
【図２】
2006178888.tif 000004
【図３】
2006178888.tif 000005
【図４】
2006178888.tif 000006
【図５】
2006178888.tif 000007
【図６】
2006178888.tif 000008
【図７】
2006178888.tif 000009
【図８】
2006178888.tif 000010